(57)【特許請求の範囲】
【請求項１】
遊技板に取り付けるための固定ベースに軸受け孔部を形成し、この軸受け孔部にパイプ状の遮光性を有する外側シャフト部とこれの内部に一体に組み付けられた棒状の透光性を有する内側シャフト部とから構成された導光シャフトを回転可能に装着し、この導光シャフトの固定ベースより突出する先端に可動飾り物を固定し、この可動飾り物の内側シャフト部と対応する部分に発光部を形成し、この発光部への内側シャフト部を経由する照射光を発光するための光源が導光シャフトから離されて固定ベースに取り付けられたことを特徴とする遊技機の可動電飾装置。
【請求項２】
導光シャフトの内側シャフト部と発光部との間に、内側シャフト部から発光部に向けて徐々に直径が拡大する拡散空間部を区画形成し、この拡散空間部を形成する傾斜面を反射面に構成するとともに、拡散空間部に突出する内側シャフト部の先端部を半球形に構成したことを特徴とする請求項１記載の遊技機の可動電飾装置。
【請求項３】
導光シャフトの外側シャフト部内に仕切り壁を配置し、この仕切り壁にて内側シャフト部を周方向に複数に区分するとともに、光源を内側シャフト部の区分数と同数に設定したことを特徴とする請求項１記載の遊技機の可動電飾装置。
【請求項４】
固定ベースの光源側の裏面に、可動飾り物を交互に反対方向に回動させる可動部を備えたことを特徴とする請求項１記載の遊技機の可動電飾装置。
【請求項５】
固定ベースの光源側の裏面に、可動飾り物を回転運動させる可動部を備えたことを特徴とする請求項１記載の遊技機の可動電飾装置。
【請求項６】
発光部には光を屈折させる複数の小レンズが形成されたことを特徴とする請求項１記載の遊技機の可動電飾装置。
【発明の詳細な説明】
【０００１】
【産業上の利用分野】
この発明は、飾り物と光源との間に、透光性の内側シャフト部を内部に有する導光シャフトを配置する遊技機の可動電飾装置、及び導光シャフトの製造方法に関する。
【０００２】
【従来の技術】
図１４は従来の遊技機の可動電飾装置の構成を示す断面図である。可動電飾装置１は固定ベース３を介してパチンコ機等の遊技機の一部を構成する、即ちデザイン画が施されたセル板５を装着する遊技板７に取り付けられる。固定ベース３には詳しくは後述する形状の固定板９が設けられており、固定板９の中央より上下の位置には後述する光源１１の光を通過するための孔１３ａ，１３ｂが形成されている。また固定板９の孔１３ａ，１３ｂの付近における遊技板７側には発光側を各孔１３に向け、かつ発光側の先端を各孔１３ａ，１３ｂ内に進入させる光源としてのフィラメントランプ１１が基板１５を介して装着されている。また固定ベース３の中央には遊技板７の背面側に突出する筒状の軸受け部１７が設けられており、軸受け部１７内にはセル板５の表面側から可動飾り物としてのランプ風車１９の回転軸２１が挿入されている。
【０００３】
ランプ風車１９の回転軸２１の先端側にはＥリング２３が装着され、このＥリング２３によりランプ風車１９は固定ベース３から抜けないようになっている。ランプ風車１９における回転軸２１のセル板５の表面側には着色された透光性を有する例えばプラスチック等の部材から成り、その円周方向の外側に向けて突出する３つの球受け板２５ａ，２５ｂ，２５ｃが設けられている。
【０００４】
図１５は図１４に示す従来の可動電飾装置１の正面を示す正面図である。ランプ風車１９の３つの球受け板２５ａ，２５ｂ，２５ｃは回転軸２１から互いに１２０度間隔でその円周方向の外側に向けて突出されている。またランプ風車１９の各球受け板２５ａ，２５ｂ，２５ｃに接する前面には着色された透光性を有する例えばプラスチック等の部材から成る円形状の発光部２７が設けられている。
【０００５】
尚、固定ベース３の固定板９は完全な円形ではなく、両サイドが外側に突出する略楕円形状に構成されており、その突出する部分にねじ釘（図示せず）が挿入されてセル板５を装着する遊技板７に取り付けられている。
【０００６】
【発明が解決しようとする課題】
従来においては、ランプ風車１９の発光部２７を比較的明るく発光させようとする場合には、強い光エネルギーを発するフィラメントランプ１１を利用しなければならず、電力消費量が多くなる。
【０００７】
従って、電力消費量を少なくするためには、発光部２７とフィラメントランプ１１との間の距離を極力短くする構成、即ちフィラメントランプ１１を遊技板７内の極力前面側へ配置する構成をとる必要が生じるが、この構成であるとフィラメントランプ１１が断線して交換する際に作業者の手がとどかず、非常に面倒な作業が要求される。また可動体側に光源を取り付けようとすれば電気配線の処理が容易でない。
【０００８】
この発明は、上記課題に鑑みて成されたものであり、光源の電力消費量が少なく、しかも光源の交換作業が容易である遊技機の可動電飾装置を提供することを第１の目的とし、さらに、光の透過性に優れた導光シャフトの製造方法を提供することを第２の目的とする。
【０００９】
【課題を解決するための手段】
本発明に係る遊技機の可動電飾装置は、遊技板に取り付けるための固定ベースに軸受け孔部を形成し、この軸受け孔部にパイプ状の遮光性を有する外側シャフト部とこれの内部に一体に組み付けられた棒状の透光性を有する内側シャフト部とから構成された導光シャフトを回転可能に装着し、この導光シャフトの固定ベースより突出する先端に可動飾り物を固定し、この可動飾り物の内側シャフト部と対応する部分に発光部を形成し、この発光部への内側シャフト部を経由する照射光を発光するための光源が導光シャフトから離されて固定ベースに取り付けられたことを特徴とする。本発明に係る遊技機の可動電飾装置は、導光シャフトの内側シャフト部と発光部との間に、内側シャフト部から発光部に向けて徐々に直径が拡大する拡散空間部を区画形成し、この拡散空間部を形成する傾斜面を反射面に構成するとともに、拡散空間部に突出する内側シャフト部の先端部を半球形に構成したり、導光シャフトの外側シャフト部内に仕切り壁を配置し、この仕切り壁にて内側シャフト部を周方向に複数に区分するとともに、光源を内側シャフト部の区分数と同数に設定したり、固定ベースの光源側の裏面に、可動飾り物を相互に反対方向に回動させる可動部を備えたり、固定ベースの前記光源側の裏面に、可動飾り物を回転運動させる可動部を備えたり、発光部には光を屈折させる複数の小レンズが形成されたりしてもよい。
【００１５】
【作用】
本発明に係る遊技機の可動電飾装置は、光源が発光すると、その光は導光シャフトの内側シャフトの後端より内側シャフト部内に入ってその軸方向に沿う方向へ伝搬し内側シャフト部の前面に抜けて可動飾り物の発光部へ照射され、この発光部を発光させる。内側シャフト部が光を軸方向に沿う方向に伝搬する性質を利用するから、内側シャフト部の先端の光量は後端の光量とほぼ同じであり、しかも光源が内側シャフト部の後端に近接されることにより光源が発する光量ともほぼ等しくなる。また可動飾り物の発光部へ光源の光を照射する際に導光シャフトを介在させるから、光源の発光レベルが仮に低くとも離れた位置にある光源から集中的に発光部の真直に光を照射することができ、光源の電力消費量を低減することが可能となる。また導光シャフトの全長に比例して光源と発光部との間の距離を大きくすることができるから、光源を作業者の手がとどき易い遊技板の背面側へ配置することが可能となり、光源の交換作業の容易化を図ることが可能となる。導光シャフトの内側シャフト部と発光部との間に、内側シャフト部から発光部に向けて徐々に直径が拡大する拡散空間部を区画形成し、この拡散空間部を形成する傾斜面を反射面に構成するとともに、拡散空間部に突出する内側シャフト部の先端部を半球形に構成すれば、光源の光は内側シャフト部の先端の半球形の部分で外方へ屈折して拡散され、光源の光の一部を反射面で反射される。導光シャフトの外側シャフト部内に仕切り壁を配置し、この仕切り壁にて内側シャフト部を周方向に複数に区分するとともに、光源を内側シャフト部の区分数と同数に設定すれば、各光源の光はそれぞれ対応する内側シャフト部内における周方向に複数に区分された領域をその軸方向に沿う方向へ伝搬して、可動飾り物の発光部へ照射されることになるが、特に内側シャフト部の先端において各光源の光が混ざり合って発光部へ照射される現象を発生する。固定ベースの光源側の裏面に、可動飾り物を相互に反対方向に回動させる可動部を備えれば、可動飾り物の設置スペースを自由に設定しつつ可動飾り物を可動部の駆動で強制的に相互に反対方向に回動させることが可能になる。また光源の発光で可動飾り物の発光部を発光させながら遊技の状況にあわせて可動飾り物を互いに反対方向に回動させることが可能になる。固定ベースの光源側の裏面に、可動飾り物を一方向に回転運動させる可動部を備えれば、可動飾り物の設置スペースを自由に設定しつつ可動飾り物を可動部の駆動で強制的に一方向に回転運動させることが可能になる。また光源の発光で可動飾り物の発光部を発光させながら遊技の状況にあわせて可動飾り物を一方向に回転運動させることが可能になる。発光部には光を屈折させる複数の小レンズが形成されれば、小レンズも可動飾り物と一緒に回転して光りの発散方向が逐次換えられる。
【００２１】
【実施例】
以下、図１ないし図５を参照して本発明の第１の実施例について説明する。
図５は本発明の一実施例に係わる遊技機の可動電飾装置を用いたパチンコ機の構成を示す正面図である。外枠３１には前枠３３が図示しないヒンジにより開閉可能に取り付けられており、前枠３３の内周縁には金枠３５が固定されている。金枠３５内にはガラス枠３７が図示しないヒンジにより開閉可能に取り付けられており、ガラス枠３７には透明なガラス３９が装着されている。
【００２２】
また、前枠３３には図示しない遊技板が取り付けられており、遊技板の表面にはデザイン画が施されたセル板４１が装着されている。セル板４１には所定の位置に遊技球の通路を構成する複数の遊技釘４３、風車４５、始動入賞口４７、入賞口４９、開閉体を有する可変入賞球装置（アタッカ）５１、アウト口５３、ランプ風車５５、羽根（入賞口）５７、及び、回転ロータ５９等が設けられている。特に、ランプ風車５５、羽根（入賞口）５７、及び、回転ロータ５９は本発明の構成が適用されるものであり、詳しくは後述する。
【００２３】
また、外枠３１において、ガラス３９の下方の位置には遊技球を収容する上皿セット６１が設置されている。上皿セット６１の下方の位置には上皿セット６１に収容しきれない出玉としての遊技球を収容する下皿セット６３が設置されている。下皿セット６３にほぼ並ぶ位置には図示しない遊技球の発射装置を操作する操作部としてのハンドルグリップ６５が設置されている。
【００２４】
このパチンコ機はハンドルグリップ６５を一方向に回転操作すると、発射装置が上皿セット６１より遊技球を一球ずつバンド６７内へ発射する。発射された遊技球はバンド６７内における遊技領域の上部にバンドより導かれ、遊技球の上向きの推力がその遊技球の重力よりも小さくなることによって、遊技球は遊技領域を下方に向けて転がり、転がる途中で遊技釘４３やランプ風車５５または風車４５等に当たりながら始動入賞口４７に入って羽根５７を動かす始動球となったり、入賞口４９に入って定数の遊技球を上皿セット６１に出玉として供給する定数供給球となったり、始動入賞口４７や入賞口４９に入らなかった遊技球はアウト口５３に入ってアウト球となる。
【００２５】
図１は本発明の第１の実施例に係わる遊技機の可動電飾装置の構成を示す断面図である。本実施例の可動電飾装置７１はランプ風車５５を適用したものであり、固定ベース７３を介してパチンコ機等の遊技機の一部を構成する、即ちデザイン画が施されたセル板４１を装着する遊技板７に取り付けられる。固定ベース７３には詳しくは後述する形状の固定板７９が設けられており、固定板７９にはその背面側、即ち遊技板７の背面側に突出する筒状の突出部８１が設けられている。突出部８１にはその内周面を利用して軸受け孔部８３が形成されており、さらに軸受け孔部８３よりも先端（背面側の先端）側には段差８５を介して軸受け孔部８３よりも半径が大きくなる光源収容室８７を形成する光源収容孔部８９が形成されている。光源収容孔部８９の先端面の所定の位置には後述するＬＥＤランプ１２５を装着するための所定数のねじ穴９１が形成されている。
【００２６】
固定ベース７３の軸受け孔部８３内にはランプ風車５５の回転軸として構成された導光シャフト９３が挿入されており、導光シャフト９３の先端（遊技板側を向く先端）側に例えばＥリング、あるいはＣリング等のリング９４が装着されることで、この導光シャフト９３はリング９４を介して段差８５に係合して軸受け孔部８３から引抜くことができないようになっている。
【００２７】
導光シャフト９３は、パイプ状の遮光性を有する外側シャフト部９５と外側シャフト部９５の内部に一体化される棒状の透光性を有する内側シャフト部９７とから構成されている。外側シャフト部９５の前面（ランプ風車５５の正面）側の先端にはランプ風車５５の発光部１１３へ向けて徐々に直径が拡大する反射面９９が形成されることで拡散空間部１０１が形成されている。反射面９９には例えばアルミやステンレス等の金属箔ないし金属片を設けたりメッキを施すことで光の反射率が高められている。内側シャフト部９７の背面側の先端は若干凸面になって後述するＬＥＤランプ１２５の発光を集光することが可能となっており、前面側の先端は例えば半球形に形成されて後述するＬＥＤランプ１２５の発光を拡散することが可能となっている。
【００２８】
図２は導光シャフト９３の製造方法の一部を説明する説明図である。導光シャフト９３を製造する場合、まず例えば旋盤加工、あるいは成形加工により外側シャフト部９５を構成し、成形型２０１の成形空間内にセットする。次いで、他方の成形型２０３を、その成形型２０３の成形空間２０５内に成形型２０１にセットされた外側シャフト部９５の突出する部分を挿入しつつ、成形型２０１に型合わせする。このとき成形型２０１の注入口２０７ａと成形型２０３の注入口２０７ｂとが型合わせされて１つの注入口２０７となる。次いで、型合わせされた成形型２０１，２０３間の注入口２０７内へ透光材としての例えば液状のガラスファイバ材、あるいは透明樹脂を注入する。そして、注入口２０７の付け根、即ち注入口２０７と内側シャフト部９７が成形される部分との境目に中子２０９を挿入して両者を分離する。透光材が固化すると、成形型２０１，２０３内における外側シャフト部９５内に内側シャフト部９７が構成される。かくて透光材が固化した後、成形型２０１，２０３を分離して、成形型２０１，２０３のいずれかから外側シャフト部９５を取り外し導光シャフト９３を得る。尚、外側シャフト部９５の内周の一部には段差が形成されており、内側シャフト部９７の抜け止めとして機能する。
【００２９】
この製造方法の場合、成形時に外側シャフト部９５の内壁に液状の透光材が密着して一体化されて内側シャフト部９７が形成されるから、内側シャフト部９７と外側シャフト部９５との接合面に光を吸収してしまう余分な空間ができるということがなく、従って内側シャフト部９７としては非常に光の透過性が良い。
【００３０】
図３は導光シャフト９３の構成を一部変形した変形例を示す概略断面図である。この導光シャフト９３Ａの構成で上記導光シャフト９３の構成と異なる点は、外側シャフト部９５ａの内部において段差が形成されてないことと、外側シャフト部９５ａの側面の一部に小孔９５ｂが形成されてこの小孔９５ｂを介して上述と同様のインサート成形時に液状の透光材が内部に充填されることである。この変形例の場合、小孔９５ｂに充填されて固化された透光材が内側シャフト部９７ａの抜け止めの機能を持つ。尚、インサート成形後に、小孔９５ｂの出口を例えば銀色の有色塗料等を塗布して遮光するようにしても良い。
【００３１】
この変形例の場合、外側シャフト部９５ａの内周面に段差が形成されないから、透光材の流動性の妨げになる部分がなく、従って透光材の流動性が良く、これにより内側シャフト部９７と外側シャフト部９５ａとの接合面の密着性が高く、より光の透過性が向上する。また小孔９５ｂの出口を有色塗料等を塗布して遮光するようにした場合には内側シャフト部９７を伝搬する光の一部が外部へ漏れでることがなく、光の損失を抑えることができる。
【００３２】
一方、図１に戻り、導光シャフト９３の前面側の先端側には例えばフランジ１０５が装着されており、フランジ１０５を介してランプ風車５５の風車体１０７にねじ１０９をねじ込むことで導光シャフト９３と風車体１０７とが接合されている。風車体１０７は透光性のある例えばプラスチック等で構成されており、その回転方向の中心側には円周状の段差１１１を介して発光部１１３が構成されている。発光部１１３には光を屈折させる複数の小レンズ１１４が形成されている。また段差１１１付近の背面側には筒状の突出部１１５が設けられており、突出部１１５の先端にねじ穴（図示せず）が形成されて、このねじ穴に導光シャフト９３に一体化するフランジ１０５側からねじ１０９がねじ込まれることで、導光シャフト９３と風車体１０７とが接合されている。
【００３３】
図４は本発明の第１の実施例に係わる遊技機の可動電飾装置の正面を示す正面図である。筒状の突出部１１５の外周には風車体１０７として構成される９０度間隔でその円周方向の外側に向けて突出される４つの球受け板１１９ａ，１１９ｂ，１１９ｃ，１１９ｄが設けられている。図の状態において、遊技球が落下して球受け板１１９ｂに衝突すると風車体１０７はその重みで導光シャフト９３とともに時計方向に回転し、球受け板１１９ｄに衝突すると風車体１０７はその重みで導光シャフト９３とともに反時計方向に回転する。
【００３４】
尚、固定ベース７３の固定板７９は完全な円形ではなく、両サイドが外側に突出する略楕円形状に構成されており、その突出する部分にねじ釘（図示せず）が挿入されてセル板４１を装着する遊技板７に取り付けられている。
【００３５】
他方、図１に戻り、固定ベース７３の突出部８１の先端には円盤状部材の中心に風車体１０７側へ突出する筒状の突出壁１２１を有して構成される光源収容部１２３が配置されており、この光源収容部１２３の背面側には突出壁１２１内に進入して、図示しない電気ユニットの駆動で点灯するＬＥＤランプ１２５を搭載した配線基板１２７が配置されている。光源収容部１２３、及び、配線基板１２７はともにねじ１２９を挿入する孔が形成されており、その孔へねじ１２９を挿入して突出部８１のねじ穴９１内へねじ込むことにより固定ベース７３に一体的に取り付けられている。
【００３６】
次に、本実施例の動作について説明する。例えば図５に示す始動入賞口４７、あるいは入賞口４９等に遊技球が入ったことにより電気ユニットの駆動を介して図１に示すＬＥＤランプ１２５が点灯すると、ＬＥＤランプ１２５の光は内側シャフト部９７の後端より内側シャフト部９７内に入ってその軸方向に沿う方向へ伝搬し内側シャフト９７の先端にある半球形の部分に照射され、さらに半球形の部分で拡散されて外方へ放射される。内側シャフト部９７の先端の半球形の部分から拡散して放射された光は大部分が風車体１０７の発光部１１３へ照射されるが、反射面９９からも反射して発光部１１３へ照射される。これにより発光部１１３が明るく輝いて発光する。例えば発光部１１３が透光性を有する色付けされている（半透明の色物）の場合にはその色が明るい色彩を発し、発光部１１３が透明の場合にはＬＥＤランプ１２５の発光色により明るい色彩を発する。従ってパチンコ機の遊技制御と関連付けて点滅させることにより遊技性を高めることができる。
【００３７】
一方、発光部１１３が発光している最中に、遊技球が風車体１０７の４つの球受け板１１９ａ，１１９ｂ，１１９ｃ，１１９ｄのうちいずれかに衝突することにより風車体１０７が回転すると、発光部１１３の小レンズ１１４も回転して光りの発散方向を逐次換え、これにより、光りの発散方向の変化に富んだ照明を提供することができる。
【００３８】
本実施例にあっては、遮光性を有する外側シャフト部９５内に透光性を有する内側シャフト部９７を構成し、しかも内側シャフト部９７のＬＥＤランプ１２５側の先端を凸面に形成し、風車体１０７の発光部１１３側の先端を半球形に形成したことにより、ＬＥＤランプ１２５の光を全面的に集光しつつ広く拡散して発光部１１３へ照射することができ、従ってＬＥＤランプ１２５による少ない消費電力で発光部１１３の面積を大きくし、かつ明るく発光させることができる。
【００３９】
また本実施例にあっては、ＬＥＤランプ１２５の設置を遊技板７の背面側から配線基板１２７を固定ベース７３にねじ止めすることで行うことができるので、仮にＬＥＤランプ１２５が故障したことにより取り外す際には作業者の手が容易にとどき、容易に取り外すことができる。即ち配線基板１２７を固定ベース７３から取り外した状態で、配線基板１２７から古いＬＥＤランプ１２５を取り外し、その配線基板１２７に新しいランプを取り付けるという簡単な作業で光源を交換することができる。
【００４０】
さらに本実施例にあっては、内側シャフト部９７が光を軸方向に沿う方向に伝搬する性質を利用することから、内側シャフト部９７の先端の光量を後端の光量とほぼ同じにすることができ、しかもＬＥＤランプ１２５が内側シャフト部９７の後端に近接されることによりＬＥＤランプ１２５が発する光量ともほぼ等しくすることができる。即ち導光シャフト９３は、内側シャフト部９７をコアとし、外側シャフト部９５をグラッドとした光ファイバと同じような構成を有するので、ＬＥＤランプ１２５で発生された光量をほぼ減衰を受けずに内側シャフト部９７の先端より抜け出て発光部１１３に照射させることができる。
【００４１】
図６は本発明の第２の実施例に係わる遊技機の可動電飾装置の主要部の構成を示す斜視図である。尚、ここでは導光シャフト１６１、及び光源収容部１７１の構成についてのみ説明して上記実施例と同様の構成をとる固定ベース等の説明は省略する。導光シャフト１６１は、パイプ状の遮光性を有する外側シャフト部１６３と外側シャフト部１６３の内部に一体化される棒状の透光性を有する内側シャフト部１６５とから構成されているが、外側シャフト部１６３の内部、即ち内側シャフト部１６５の内部には内側シャフト部１６５を周方向に９０度間隔に４つに区分する断面視十字状の仕切り壁１６７が配置されている。特に、仕切り壁１６７の飾り物側の先端は内側シャフト部１６５の半球形に形成された部分には進入しておらず、従って後述する各ＬＥＤランプそれぞれから照射された光が内側シャフト部１６５の半球形に形成された部分で混ざり合うことが可能となっている。
【００４２】
尚、外側シャフト部１６３の飾り物が設置される側の先端（図示左側の先端）には飾り物へ向けて徐々に直径が拡大する反射面１６９が形成されることで拡散空間部が形成され得るようになっており、また内側シャフト部１６５の飾り物が設置される側の先端は反球形に形成されて発光を拡散することが可能となっている。
【００４３】
光源収容部１７１の飾り物側へ向けて突出する筒状の突出壁１７３内には突出壁１７３を周方向に９０度間隔に４つに区分する断面視十字状の区画壁１７５が配置されている。配線基板１７７には光源収容部１７１の突出壁１７３内において区画壁１７５に区画される各室内に個別に進入して、図示しない電気ユニットの駆動で点灯する４つのＬＥＤランプ１７９ａ，１７９ｂ，１７９ｃ，１７９ｄが配置されている。各ＬＥＤランプ１７９ａ，１７９ｂ，１７９ｃ，１７９ｄは発光色を異ならせることが可能である。光源収容部１７１、及び配線基板１７７は図示しないねじにより図示しない固定ベースに一体的に組み付けられる。
【００４４】
図７は導光シャフトの製造方法における各工程のうち前段の工程を説明する説明図である。まず例えば旋盤加工、あるいは成形加工等により外側シャフト部１６３を構成するとき、例えば外側シャフト部１６３の側面のうち一部に図示しない小孔を開けておく。そして、図示する通り、外側シャフト部１６３内に外側シャフト部１６３の側面に開けられた小孔を塞ぐことがないようにしつつ仕切り壁１６７を挿入する。次いで、外側シャフト部１６３を一方の成形型の成形空間内に配置し、さらに、他方の成形型を、その成形空間内に一方の成形型から突出する部分の外側シャフト部１６３を挿入しつつ、一方の成形型に型合わせする。次いで、外側シャフト部１６３の小孔に通じる注入口へ透光材としての例えばガラスファイバ、あるいは透明樹脂を注入する。透光材が固化すると、型合わせする成形型内における外側シャフト部１６３内に内側シャフト部１６５が構成される。かくて透光材が固化した後、外側シャフト部１６３を双方の成形型から取り外して導光シャフト１６１を得る。
【００４５】
この製造方法の場合も、成形時に外側シャフト部１６３の内壁に液状の透光材が密着して一体化されて内側シャフト部１６５が形成されるから、内側シャフト部１６５と外側シャフト部１６３との接合面に光を吸収してしまう余分な空間ができるということがなく、従って内側シャフト部１６５としては非常に光の透過性が良い。また外側シャフト部１６３の内周面に段差が形成されないから、透光材の流動性の妨げになる部分がなく、従って透光材の流動性が良く、これにより内側シャフト部１６５と外側シャフト部１６３との接合面の密着性が高く、より光の透過性が向上する。また小孔の出口を有色塗料等を塗布して遮光するようにした場合には内側シャフト部１６５を伝搬する光の一部が外部へ漏れでることがなく、光の損失を抑えることができる。
【００４６】
次に、本実施例の動作について説明する。例えば図５に示した始動入賞口４７、あるいは入賞口４９等に遊技球が入ったことにより電気ユニットの駆動を介して図６に示す各ＬＥＤランプ１７９ａ，１７９ｂ，１７９ｃ，１７９ｄが点灯すると、各ＬＥＤランプ１７９ａ，１７９ｂ，１７９ｃ，１７９ｄの光はそれぞれ内側シャフト部１６５内の後端より内側シャフト部１６５内における仕切り壁１６７で区画された領域内をその軸方向に沿う方向に伝搬し、さらにそれぞれ内側シャフト部１６５の先端の半球形の部分で混ざり合って外部へ拡散して放射される。内側シャフト部１６５の先端の半球形の部分から拡散して放射されるそれぞれの光は図示しない飾り物の発光部をそれぞれの色に発光させたり、合成された発光色に発光させたりする。即ち各ＬＥＤランプ１７９ａ，１７９ｂ，１７９ｃ，１７９ｄそれぞれから照射された光は内側シャフト部１６５の先端の半球形の部分で混ざり合うことが可能であるから、飾り物の発光部において見る角度に応じて発光色が各々のＬＥＤランプ１７９ａ，１７９ｂ，１７９ｃ，１７９ｄの発光色で発光したり、合成された発光色で発光するという現象を見ることができる。一方、飾り物の発光部が回転すると、発光部から遊技者に対してさらに変化に富んだ光（色彩）、即ち遊技者の見る角度に応じて発光部の発光色がさらに変化するというより変化に富んだ光（色彩）を提供することができる。
【００４７】
本実施例にあっては、内側シャフト部１６５を断面視十字状の仕切り壁１６７でその周方向に９０度間隔に４つに区分するとともに、光源収容部１７１の突出壁１７３を断面視十字状の区画壁１７５でその周方向に９０度間隔に４つに区分し、光源を区画壁１７５で区画する室内にそれぞれ発光色の異なる４つのＬＥＤランプ１７９ａ，１７９ｂ，１７９ｃ，１７９ｄを収容するよう構成し、特に仕切り壁１６７の先端を内側シャフト部１６５の半球形に形成された部分に進入させないようにしたことにより、上記実施例の効果と同様の効果を有するのに加えて、半球形の部分を透過する各ＬＥＤランプ１７９ａ，１７９ｂ，１７９ｃ，１７９ｄの光をその半球形の部分で混ぜ合わせることができるから、これにより飾り物の発光部において遊技者の見る角度に応じて発光色が変化するという現象を見ることができ、飾り物のより変化に富んだ発光（色彩）を提供することができ、パチンコ機の遊技制御に関連付けて点滅させる等すれば遊技者により鮮烈にアピールすることができ、遊技性がさらに高まる。
【００４８】
次に、図８ないし図９を参照して本発明の第３の実施例について説明する。図８は本発明の第３の実施例の構成を示す一部断面図である。本実施例の可動電飾装置３０１は役物の回転ロータ５９、あるいは図示しないランプ風車を適用したものであり、固定ベース３０３を介してパチンコ機等の遊技機の一部を構成する、即ちデザイン画が施されたセル板４１を装着する遊技板７に取り付けられる。固定ベース３０３には遊技板７上のセル板４１に外周の縁近くが当接する固定板３０５が設けられており、固定板３０５の中軸付近には遊技板７の背面側に筒状の形状で突出し、その内周面を利用して軸受け孔部３０６を構成し、この軸受け孔部３０６に後述する導光シャフト３０７を回転可能に収容する突出部３０９が設けられている。
【００４９】
本実施例の導光シャフト３０７は、第１の実施例で説明した導光シャフトの変形例のものと基本的には同じ構成であるが、先端側の外周に環状、ないし螺旋状の凹部が形成され、この凹部を介して後述する回転ロータ５９と一体化されている。また導光シャフト３０７の後端側（突出部３０９の終端より若干遊技板７の背面側の位置）の外周にはギヤ３１１が設けられている。このギヤ３１１は後述する可動部としてのモータ３２５の回転軸に設置されたギヤ３２７と歯合される。尚、導光シャフト３０７は第２の実施例の導光シャフトを適用しても良いことは言うまでもない。
【００５０】
一方、固定板３０５の外周付近には遊技板７の背面側へ等間隔に突出する所定数（例えば３つ、ないし４つ、本例では４つ）の支柱状の部材として構成されたねじ取り付け部３１３が設けられている。各ねじ取り付け部３１３の先端には各々のねじ取り付け部３１３上に接合される円板状の部材として構成された可動部取り付け部３１５が配置されている。この可動部取り付け部３１５はねじ３１７でねじ取り付け部３１３に一体的に接合されている。
【００５１】
可動部取り付け部３１５の中心には導光シャフト３０７の後端（ギヤ３１１の配置位置よりも後端で背面の先端よりも前面の位置）側を挿通する挿通孔３１９が形成されている。また可動部取り付け部３１５の挿通孔３１９より外周側の一部には軸孔３２１が形成されており、この軸孔３２１の付近における可動部取り付け部３１５の背面側にはその回転軸３２３を軸孔３２１へ挿通するモータ３２５が例えば図示しないねじ止め、あるいは接着等により配置されている。モータ３２５の回転軸３２３にはギヤ３２７が装着されており、上述の通り導光シャフト３０７のギヤ３１１と歯合されている。また可動部取り付け部３１５の他の一部（例えば挿通孔３１９より外周側でモータ３２５の配置位置に対向する位置）には筒状の形状で遊技板７の背面側へ突出するねじ取り付け部３２９が設けられており、このねじ取り付け部３２９に、ＬＥＤランプ３３１をその側面側を囲んで収容する光源収容部３３３、及び光源収容部３３３の背面側に配置されてＬＥＤランプ３３１を光源収容部３３３内へ進入させる位置にＬＥＤランプ３３１を搭載する配線基板３３５を重ねて配置し、ねじ取り付け部３２９に、ねじ３３７でねじ止めされている。この配置では、ＬＥＤランプ３３１の先端面は導光シャフト３０７の後端面に向けられている。尚、導光シャフト３０７を第２の実施例で説明した導光シャフトと同様の構成にした場合には光源収容部３３３はその軸方向に４つに区分され、その区分された各室に１つずつＬＥＤランプを収容することになる。
【００５２】
一方、導光シャフト３０７の先端側の外周に一体に組み付けられるランプ風車３４０は透光性のある例えばプラスチック等で構成されており、その回転方向の中心側において背面側から前面側に突出する筒状の突出部３４１の先端側に発光部３４３が構成されている。発光部３４３には図示しないが光を屈折させる複数の小レンズが形成されている。また突出部３４１の外周の外側には前面側から背面側へ筒状に突出する突出部３４５が設けられており、この突出部３４５の外周には風車体３４７が設けられている。
【００５３】
図９は本発明の第３の実施例に係わる遊技機の可動電飾装置の正面を示す正面図である。筒状の突出部３４５の外周には風車体３４７として構成される４５度間隔でその円周方向の外側に向けて突出される８つの球受け板３４９ａ，３４９ｂ，３４９ｃ，３４９ｄ，３４９ｅ，３４９ｆ，３４９ｇ，３４９ｈが設けられている。この風車体３４７は、モータ３２５の駆動で回転するため、球受け板３４９ａ等に遊技球が落下して衝突しても、その衝突の影響を受けることはない。従って、風車体３４７の回転速度が遅いときには球受け板３４９ａ等で暫くの間遊技球を保持した後、風車体３４７の回転角度の所定量以上の増加でその遊技球を下方へ落下させることになる。
【００５４】
次に、本実施例の動作について説明する。例えば図５に示す始動入賞口４７、あるいは入賞口４９等に遊技球が入ったことにより電気ユニットの駆動を介して図８に示すＬＥＤランプ３３１が点灯すると、ＬＥＤランプ３３１の光は導光シャフト３０７内に入ってその軸方向に沿う方向へ伝搬し、導光シャフト３０７の先端にある半球形の部分に照射され、さらに半球形の部分で拡散されて外方へ放射される。導光シャフト３０７の先端の半球形の部分から拡散して放射された光はランプ風車３４０の発光部３４３へ照射される。これにより発光部３４３が明るく輝いて発光する。例えば発光部３４３が透光性を有する色付けされている（半透明の色物）場合にはその色が明るい色彩を発し、発光部３４３が透明の場合にはＬＥＤランプ３３１の発光色により明るい色彩を発する。従ってパチンコ機の遊技制御と関連付けて点滅させることにより遊技性を高めることができる。
【００５５】
また、例えば図５に示す始動入賞口４７、あるいは入賞口４９等に遊技球が入ったことにより図８に示すＬＥＤランプ３３１が点灯するときには、電気ユニットの駆動を介してモータ３２５が駆動し、ギヤ３２７，３１１の回転を介して導光シャフト３０７が回転し、この回転でランプ風車３４０も回転する。これによりランプ風車３４０は、導光シャフト３０７を透過するＬＥＤランプ３３１の光で発光部３４３が発光しながら回転するが、このとき発光部３４３に構成される小レンズも回転するから、この小レンズにより光の発散方向が逐次換えられて遊技者に変化に富んだ光を提供することができる。
【００５６】
本実施例にあっては、ランプ風車３４０と一体に回転可能である導光シャフト３０７に対してギヤ３１１を設け、このギヤ３１１をモータ３２５の回転軸３２３に一体化するギヤ３２７に歯合させ、モータ３２５の駆動で導光シャフト３０７の回転を介しランプ風車３４０を回転させるように構成したから、遊技の状況に応じて、ランプ風車３４０を、その発光部３４３をＬＥＤランプ３３１の光で発光させつつ強制的に一方向に回転させることができる。また強制的な回転で発光部３４３の発光を小レンズの回転にあわせてより変化に富んだ発光に換えることができる。
【００５７】
また本実施例にあっては、例えば故障によりＬＥＤランプ３３１を交換するときには、遊技板７の背面側に露出するねじ３３７を緩めることで配線基板３３５と共に可動部取り付け部３１５から引き離すことが容易に行えるから、作業者の手がとどき易く、容易に取り外すことができる。
【００５８】
尚、本実施例では、導光シャフト３０７に一体化する可動飾り物としてランプ風車３４０を適用した場合について説明したが、これを回転ロータ５９に適用することも容易である。その場合、回転ロータ５９の回転方向の中心部分に発光部を構成し、この発光部がＬＥＤランプ３３１の光で発光する。また遊技の状況に応じてモータ３２５を駆動（正回転、または逆回転）させ、これにより回転ロータ５９を時計回り、あるいは反時計回りに回転させても良い。
【００５９】
次に、図１０ないし図１３を参照して本発明の第４の実施例について説明する。図１０は本発明の第４の実施例の主要部の断面構成（即ち図１２において２点鎖線Ｓで区切る部分のうち主要部を切断し、その切断面を図示左側から見た断面図）を示す一部断面図である。本実施例の可動電飾装置４０１は役物の羽根５７を適用したものであり、固定ベース４０３Ａ及び４０３Ｂを介してパチンコ機等の遊技機の一部を構成する、即ちデザイン画が施されたセル板４１を装着する遊技板７に取り付けられている。固定ベース４０３は、固定ベース４０３Ａの後面周壁４０４と一体化する取り付け部４０５等を介してねじ４０７等をねじ込むことで固定ベース４０３Ａに固定ベース４０３Ｂを一体的に組み付けて構成されている。
【００６０】
固定ベース４０３Ａの上部の中央には遊技球を取り込む天入賞口４０９及び天入賞球誘導通路４１１が設けられており、この天入賞球誘導通路４１１に供給された遊技球は天入賞球誘導通路４１１の終端に組み付けられた球当接部４１３に当たった後、図示しない通路を通って内部の入賞球スイッチを作動させ、図示しない上皿セットに所定数の出玉を供給させる。固定ベース４０３Ａの天入賞球誘導通路４１１の下方の位置には遊技板７の前方へ向けて突出する隔壁で表示部収容室４１５が形成されており、例えば表示部（例えばセグメントＬＥＤ、あるいはドットマトリクスＬＥＤ等）４１７が収容されている。この表示部収容室４１５の側壁を成す壁面４１９には表示部４１７に配線される配線通し用の窓４２１が設けられている。
【００６１】
尚、壁面４１９の裏面には取り付けボス４２３，４２５が設けられている。取り付けボス４２３は球当接部４１３をねじ４２７で組み付ける際の被組み付け部となり、取り付けボス４２５は固定ベース４０３Ｂをねじ４２９で組み付ける際の被組み付け部となっている。
【００６２】
固定ベース４０３Ａのほぼ中央付近（即ち表示部収容室４１５の底壁４３１から後述する羽根５７の寸法分の下方の位置）には中心に後述する導光シャフト４７１を挿通する孔を有して中央平板部４３０より前方へ若干突出する突出部４３５が設けられており、この突出部４３５の形成位置に対向する裏面側には中心に導光シャフト４７１を挿通する孔を有して中央平板部４３０より遊技板７の後方へ向けて突出する突出部４３９が設けられている。尚、図１３に示すように導光シャフト４７１を組み付ける羽根５７は入賞室４４１の両サイドに１つずつ設けられており、従ってその２つの羽根５７，５７に対応して突出部４３５、４３９も２つずつ設けられているものである。図１０では図１３で示す羽根５７，５７のうち図示右側の羽根５７の断面が示されている。
【００６３】
固定ベース４０３Ａの突出部４３５の下方の位置には固定ベース４０３Ａ及び４０３Ｂにより構成される入賞室４４１へ通じる図示しない窓が設けられており、羽根が開いた時に入ってくる遊技球を入賞室４４１へ導く。入賞室４４１は、固定ベース４０３Ａにおいて遊技板７の背面側へ向けて突出する入賞室後面周壁４４３、及び固定ベース４０３Ｂにおいて遊技板７の前面側へ向けて突出する入賞室後面周壁により側面が区画されており、図示しないが内部には入賞球振り分け装置が収容されている。
【００６４】
固定ベース４０３Ａの中央平板部４３０の下方（入賞球振り分け装置の出口となる部分、即ち入賞球振り分け装置の一部を成す底板４４５の最下流側の位置）には図示しない窓が設けられている。この窓の下方には前方に突出して３つに区分する仕切り壁４４７で特別入賞口４４９Ａと普通入賞口４４９Ｂとを仕切るようになっており、中央の特別入賞口４４９Ａの下方には特別入賞検出スイッチ４４９が設けられている。また仕切り壁４４７で仕切られる特別入賞口４４９Ａと普通入賞口４４９Ｂの下方（即ち特別入賞検出スイッチ４４９よりも下方の位置）には特別入賞球誘導通路４５１Ａ、普通入賞球誘導路４５１Ｂが設けられている。また、入賞室４４１には羽根５７が開放したときに入賞した入賞球を後方に転動させる傾斜仕切板Ａが固定ベース４０３Ｂの中央平板部４６１との間に球の直径以上の隙間を設けて、傾斜仕切板Ａ上の入賞球を底板４４５上に落下するようにしている。
【００６５】
尚、入賞室４４１に入った入賞球は、傾斜仕切板Ａ上を後方に転動して例えば入賞球振り分け装置の一部を構成する底板４４５上に落下して転がり、特別入賞口４４９Ａと普通入賞口４４９Ｂのうちいずれかに入ることになる。
【００６６】
一方、固定ベース４０３Ｂの中央平板部４６１において固定ベース４０３Ａの突出部４３９に対応する位置には中心に導光シャフトを挿通する孔を有し遊技板７の前方へ向けて突出する突出部４６３が設けられており、その先端が突出部４３９の先端に当接されている。また突出部４６３に対応する位置の中央平板部４６１の裏面には中心に導光シャフトを挿通する孔を有し後方に向けて若干突出する突出部４６５が設けられている。
【００６７】
図１１は固定ベース４０３Ａの突出部４３９の孔、及び固定ベース４０３Ｂの突出部４６３の孔に挿通される導光シャフト４７１の概略構成、及びその周辺部材の概略構成を拡大して示す一部断面図である。この導光シャフト４７１の構成も基本的には第１の実施例で説明した導光シャフトの変形例のものと同じ構成であるが、先端側の外周に環状、ないし螺旋状の凹部が形成され、この凹部を介して羽根５７と一体化されている。羽根５７の導光シャフト４７１と一体化される部分の前方には空間部４７３を介して発光部４７５が設けられており、この発光部４７５には複数の小レンズが形成されている。一方、導光シャフト４７１の後端側、即ち固定ベース４０３Ｂの突出部４６５より後方へ突出する部分の前方側には回動クランク４７９が配置されており、この回動クランク４７９に一体化する軸部（図では一部分が示されている）４８１が後述するソレノイドのリンクに遊嵌されている。また導光シャフト４７１の回動クランク４７９が配置される位置よりも若干後方の位置には環状の凹部が形成されており、この凹部にリング４８３が設けられている。尚、図示の状態は回動クランク４７９の回動と共に導光シャフト４７１が回動し、この回動により羽根５７が図示手前側に回動して水平に開いた状態を示している。
【００６８】
固定ベース４０３Ｂの突出部４６３の周囲における中央平板部４６１の裏面には回動クランク４７９の回動を妨げない位置に後方へ向けて突出する支柱状の部材として構成された所定数のねじ取り付け部４８５が設けられている。このねじ取り付け部４８５には、ＬＥＤランプ４８６をその側面側を囲んで収容する光源収容部４８７、及び光源収容部４８７の背面側に配置されてＬＥＤランプ４８６を光源収容部４８７内へ進入させる位置にＬＥＤランプ４８６を搭載する配線基板４８９が重ねて配置され、かつ、ねじ４９１でねじ止めされている。この配置ではＬＥＤランプ４８６の先端面は導光シャフト４７１の内側シャフト部４７２の後端面に向けられている。内側シャフト部４７２の一部は外部に露出される構成となっており、その露出部分は光源収容部４８７内に進入されている。尚、導光シャフト４７１を第２の実施例で説明した導光シャフトと同様の構成にした場合には光源収容部４８７はその軸方向に４つに区分され、その区分された各室に１つずつＬＥＤランプを収容することになる。
【００６９】
一方、図１０に戻り、固定ベース４０３Ｂの中央平板部４６１の突出部４６３より下方の位置には前方へ向けて突出する突出平板部４９５が設けられており、この突出平板部４９５で入賞球振り分け装置の一部を成す底板４４５を裏面側から支持している。また中央平板部４６１の裏面側でねじ取り付け部４８５より外側の位置にはねじ取り付け部４８５よりも全長が大きい支柱状の部材として構成された所定数のねじ取り付け部４９７が設けられている。各ねじ取り付け部４９７の先端には平板状の部材として構成された可動部取り付け部４９９が当接されており、ねじ５０１で固定されている。可動部取り付け部４９９には両サイドに固定板５０３が設けられており、この固定板５０３にねじ５０５を用いることでソレノイド５０７を固定している。
【００７０】
ソレノイド５０７には移動体５０９が設けられており、移動体５０９の先端側にはねじ５１１が螺入されてこのねじ５１１に後述するばね５１３の一端が掛けられ、かつ導光シャフト４７１に設けられた回動クランク４７９の軸部４８１を遊嵌状態で挿通する長孔５１５を有するリンク５１７が設けられている。尚、中央平板部４６１の裏面で下側に位置するねじ取り付け部４９７より下方の位置にはねじ取り付け部４９７の全長よりも大きい高さを有する支柱状の部材として構成されたねじ取り付け部５１９が設けられており、これに螺入されるねじ５２１にばね５１３の一端が掛けられている。従ってばね５１３は移動体５０９とねじ取り付け部５１９に螺入されるねじ５２１との間に掛けられ、移動体５０９の移動を引き戻す力を与える。
【００７１】
図１２は本実施例に適用される役物の背面の構成を説明する説明図である。可動部取り付け部４９９は３箇所の位置にねじ５０１でねじ止めされており、左右の固定板５０３に各々１つずつソレノイド５０７がねじ５０５で固定されている。各ソレノイド５０７，５０７の移動体５０９，５０９に一体化されるリンク５１７は水平部５１７ａと垂直部５１７ｂから構成されており、垂直部５１７ｂ，５１７ｂの先端に横方向に長い長孔５１５が設けられ、これら長孔５１５，５１５に、位置的に対応する回動クランク４７９，４７９の軸部４８１，４８１が遊嵌状態で挿通されている。
【００７２】
次に、本実施例の動作について説明する。例えば図５に示す始動入賞口４７、あるいは入賞口４９等に遊技球が入ったことにより電気ユニットの駆動を介して図１０及び図１１に示すＬＥＤランプ４８６が点灯すると、ＬＥＤランプ４８６の光は導光シャフト４７１内に入ってその軸方向に沿う方向へ伝搬し、導光シャフト４７１の先端にある半球形の部分に照射され、さらに半球形の部分で拡散されて外方へ放射される。導光シャフト４７１の先端の半球形の部分から拡散して放射された光は羽根５７の発光部４７５へ照射され、これにより発光部４７５が明るく輝いて発光する。
【００７３】
また、例えば図５に示す始動入賞口４７、あるいは入賞口４９等に遊技球が入ったことにより図１０及び図１１に示すＬＥＤランプ４８６が点灯するときには、電気ユニットの駆動を介してソレノイド５０７，５０７が駆動し、それぞれの移動体５０９，５０９がばね５１３，５１３のばね力に抗して上方へ移動する。移動体５０９が上方へ移動すると、それぞれの垂直部５１７ｂ，５１７ｂに押される軸部４８１，４８１を介して各回動クランク４７９，４７９が互いに逆向きに回動する。即ち、一方の回動クランク４７９は自己に対応する導光シャフト４７１を支点に図示反時計方向に回動し、他方の回動クランク４７９は自己に対応する導光シャフト４７１を支点に図示時計方向に回動する。
【００７４】
図１３は本実施例に適用された役物の正面の構成を説明する説明図である。この図１３から各羽根５７，５７の回動の支点となる部分に発光部４７５，４７５が設けられている様子が分かる。例えば上述の動作で羽根５７，５７が垂直な状態から水平の状態へ回動するときには、遊技球が入賞室４４１へ入り易くなる他、電気ユニットの駆動を介してＬＥＤランプ４８６が点灯し、発光部４７５，４７５が発光する。例えば発光部４７５が透光性を有する色付けされている（半透明の色物）場合にはその色が明るい色彩を発し、発光部４７５が透明の場合にはＬＥＤランプ４８６の発光色により明るい色彩を発する。従ってパチンコ機の遊技制御と関連付けて点滅させることにより遊技性を高めることができる。尚、Ｂ、Ｃは飾り板である。
【００７５】
また各羽根５７，５７の回動時には発光部４７５に構成される小レンズも回転するから、この小レンズにより光りの発散方向が逐次換えられて遊技者に変化に富んだ光を提供することができる。
【００７６】
本実施例にあっては、羽根５７と一体に回動可能である導光シャフト４７１に対して回動クランク４７９を設け、回動クランク４７９の軸部４８１に対しその軸部４８１を遊嵌して上下に移動可能であるソレノイド５０７の移動体５０９を連結し、ソレノイド５０７の可動で各回動クランク４７９を回動させて各導光シャフト４７１，４７１を互いに逆向きに回動させ、各羽根５７，５７を互いに逆向きに回動させるように構成したから、遊技の状況に応じて、羽根５７，５７を、その発光部４７５をＬＥＤランプ４８６の光で発光させつつ強制的に交互に反対方向に回動させることができる。また強制的に発光部４７５を回動させるとき、発光部４７５の小レンズも回動するから、小レンズの回動にあわせてより変化に富んだ発光に換えることができる。
【００７７】
また本実施例にあっては、２つのソレノイド５０７，５０７を用いるから、リンク５１７の移動力が強く、羽根５７，５７を素早く回動させることができ、しかも羽根５７，５７が垂直の状態に戻るときに、遊技球が衝突しても遊技球の衝突に打ち勝って素早く回動することができる。
【００７８】
さらに本実施例にあっては、例えば故障によりＬＥＤランプ４８６を交換するときには、遊技板７の背面側に露出するねじ４１９（図１２参照）を緩めることで配線基板４８９と共に固定ベース４０３Ｂの中央平板部４６１から引き離すことが容易に行えるから、作業者の手がとどき易く、容易に取り外すことができる。
【００７９】
【発明の効果】
本発明に係る遊技機の可動電飾装置によれば、光源と可動飾り物の発光部との間に透光性を有する導光シャフトを配置したので、光源の発光を導光シャフトの内側シャフト部を透過して可動飾り物の発光部へ照射することができるから、可動飾り物の発光部と光源との間の距離を大きくして、光源を遊技板の背面側へ配置することができ、仮に光源が故障したときの交換作業を容易にすることができ、光源にはＬＥＤを使用することができ、電力消費量を少なくすることができる。可動飾り物の発光部に向けて徐々に直径が拡大する反射面で拡散空間部を区画形成し、拡散空間部に突出する内側シャフト部の先端部を半球形に構成すれば、内側シャフト部の半球形の部分から発光される光を拡散して発光部へ照射することができ、発光部の面積を大きくすることができ、発光部の明るさを強くすることができる。導光シャフトの外側シャフト部内に仕切り壁を配置し、この仕切り壁にて内側シャフト部を周方向に複数に区分するとともに、光源を内側シャフト部の区分数と同数に設定すれば、可動飾り物の発光部において見る角度に応じて発光色を変化させる等、より変化に富んだ発光を提供することができる。固定ベースの光源側の裏面に、可動飾り物を相互に反対方向に回動させる可動部を備えれば、可動飾り物の設置スペースを自由に設定しつつ可動部の駆動で可動飾り物を強制的に相互に反対方向に回動させることが可能になり、光源の発光で可動飾り物の発光部を発光させながら遊技の状況にあわせて可動飾り物を互いに反対方向に回動させることが可能になる。固定ベースの光源側の裏面に、可動飾り物を一方向に回転運動させる可動部を備えれば、可動飾り物の設置スペースを自由に設定しつつ可動飾り物を可動部の駆動で強制的に一方向に回転運動させることが可能になり、光源の発光で可動飾り物の発光部を発光させながら遊技の状況にあわせて可動飾り物を一方向に回転運動させることが可能になる。発光部には光を屈折させる複数の小レンズが形成されれば、小レンズも可動飾り物と一緒に回転して光の発散方向の変化に富んだ照明を提供することができる。
【図面の簡単な説明】
【図１】本発明の第１の実施例に係わる遊技機の可動電飾装置の構成を示す断面図である。
【図２】本発明の第１の実施例に係わる遊技機の可動電飾装置の導光シャフトの製造方法の一部を説明する説明図である。
【図３】本発明の第１の実施例に係わる遊技機の可動電飾装置の導光シャフトの変形例を示す断面図である。
【図４】本発明の第１の実施例に係わる遊技機の可動電飾装置の正面の構成を示す正面図である。
【図５】本発明に係わる遊技機の可動電飾装置を用いたパチンコ機の構成を示す正面図である。
【図６】本発明の第２の実施例に係わる遊技機の可動電飾装置の構成を示す斜視図である。
【図７】図６に示す導光シャフトの製造方法における各工程のうち前段の工程を説明する説明図である。
【図８】本発明の第３の実施例に係わる遊技機の可動電飾装置の構成を示す断面図である。
【図９】本発明の第３の実施例に係わる遊技機の可動電飾装置の正面の構成を示す正面図である。
【図１０】本発明の第４の実施例に係わる遊技機の可動電飾装置の構成を示す断面図である。
【図１１】本発明の第４の実施例に係わる遊技機の可動電飾装置のうち、導光シャフト及びその周辺部材の構成を拡大して示す拡大図である。
【図１２】本発明の第４の実施例に係わる遊技機の可動電飾装置の背面の構成を説明する説明図である。
【図１３】本発明の第４の実施例に係わる遊技機の可動電飾装置の正面の構成を示す正面図である。
【図１４】従来の遊技機の可動電飾装置の構成を示す断面図である。
【図１５】従来の遊技機の可動電飾装置の正面を示す正面図である。
【符号の説明】
７  遊技板
４１  セル板
５５  ランプ風車
５７  羽根
５９  回転ロータ
７１  可動電飾装置
７３  固定ベース
７９  固定板
８１  突出部
８３  軸受け孔部
８５  段差
８７  光源収容室
８９  光源収容孔部
９１  ねじ孔
９３，９３Ａ，導光シャフト
９４  リング
９５，９５ａ，外側シャフト部
９５ｂ  小孔
９７，９７ａ  内側シャフト部
９９  反射面
１０１  拡散空間部
１０５  フランジ
１０７  風車体
１０９  ねじ
１１１  段差
１１３  発光部
１１４  小レンズ
１１５  突出部
１２１  突出壁
１２３  光源収容部
１２５  ＬＥＤランプ
１２７  配線基板
【図１】
0003712753.tif 000002
【図２】
0003712753.tif 000003
【図３】
0003712753.tif 000004
【図４】
0003712753.tif 000005
【図５】
0003712753.tif 000006
【図６】
0003712753.tif 000007
【図７】
0003712753.tif 000008
【図８】
0003712753.tif 000009
【図９】
0003712753.tif 000010
【図１０】
0003712753.tif 000011
【図１１】
0003712753.tif 000012
【図１２】
0003712753.tif 000013
【図１３】
0003712753.tif 000014
【図１４】
0003712753.tif 000015
【図１５】
0003712753.tif 000016